【手続補正書】
【提出日】平成17年3月30日(2005.3.30)
【手続補正１】
【補正対象書類名】明細書
【補正対象項目名】全文
【補正方法】変更
【補正の内容】
【書類名】      明細書
【発明の名称】  符号誤り伝達方式
【特許請求の範囲】
【請求項１】  異なる通信網（２０）を介して一方の自通信網（１０）から他方の自通信網（３０）にデータ伝送する際に、一方の自通信網（１０）での符号誤り状態を表わす結果を異なる通信網（２０）でのフレームの空き領域に挿入して他方の自通信網（３０）に伝達することを特徴とする符号誤り伝達方式。
【請求項２】  一方の自通信網（１０）から異なる通信網（２０）を介して他方の自通信網（３０）にデータ伝送する際に、一方の自通信網の伝送路（１０６）にて発生したデータの符号誤りを異なる通信網を介して他方の自通信網に伝達する符号誤り伝達方式であって、
前記一方の自通信網にて、それぞれ伝送するデータを含む所定形態のフレームに誤り検出符号を付加し、
該一方の自通信網（１０）の伝送路（１０６）の前記異なる通信網（２０）との終端点（１０４）にて、自通信網のフレームを異なる通信網の他形態のフレームに変換する際に、自通信網の誤り検出符号に基づいて自通信網の伝送路でのデータの符号誤りを検出し、その結果を表わす誤り検出ビットを前記異なる通信網でのフレームの所定の空きデータ領域に挿入して、該フレームにて前記異なる通信網を介して前記他方の自通信網に伝送し、該他方の自通信網の異なる通信網との終端点（３０２）にて、前記異なる通信網からのフレームを受けて該フレームを自通信網のフレームに変換する際に、前記異なる通信網からのフレームの所定の空きデータ領域に挿入された符号誤りを表わす誤り検出ビットを検出し、その結果、データの符号誤りが発生している場合に、符号誤り検出ビットに基づいて他方の自通信網のフレームに変換した後の誤り検出符号または対象のデータの符号を変更して、該フレームのデータに所定の符号誤りを発生させ、
該終端点からのフレーム内の所定の符号誤りに基づいて該他方の自通信網にて前記一方の自通信網の伝送路でのデータの符号誤りを検出することを特徴とする符号誤り伝達方式。
【請求項３】  請求項２に記載の符号誤り伝達方式において、前記他方の自通信網（３０）は、前記終端点からのフレームを所定の方路に伝送する伝送装置（３０４）を含み、
該伝送装置にて、自通信網（３０）のフレーム信号から所定の符号誤りを検出した際に、前記一方の自通信網（１０）の伝送路（１０６）にてデータの符号誤りが発生したことを外部に報知することを特徴とする符号誤り伝達方式。
【発明の詳細な説明】
【０００１】
【発明の属する技術分野】
本発明は、符号誤り伝達方式に係り、特に、他の通信事業者の通信網を介して通信を実施する、たとえば移動体通信網などに用いて好適な符号誤り伝達方式に関するものである。
【０００２】
【従来の技術】
近年、通信事業の自由化およびネットワークのオープン化にともない、各種の通信事業者が通信事業に参入し、他社通信網との相互接続などにより、自通信網を自在に運用することができるようになってきた。たとえば、移動体通信網においては、無線基地局を他の通信事業者の固定通信網を介して自通信網の無線交換局に接続することにより、基地局を各エリアに自在に配置することができる。
【０００３】
従来、上記のように、異なる通信網を介して自通信網のたとえば、無線基地局と無線交換局とを接続する場合、無線基地局と異なる通信網との接続点および異なる通信網と無線交換局との接続点には、それぞれの伝送路を終端する終端装置が設けられる。上り信号を考えると、無線基地局側の終端装置は、基地局装置からの伝送路を終端してそのデータを含む信号のフレームを異なる通信網のフレームに変換する。そのフレームにて異なる通信網を介して伝送された基地局装置からのフレーム信号は、無線交換局側の終端装置にて自通信網のフレーム信号に変換されて、局内の無線交換機を介して所定の方路に伝送される。
【０００４】
この場合、無線基地局の基地局装置とその終端装置、基地局側の終端装置と異なる通信網、異なる通信網と無線交換局側の終端装置、およびその終端装置と無線交換機のそれぞれの間では、例えばＣＲＣ(cyclic redundancy check code)などの誤り検出符号を信号に付加することにより、それぞれの区間でのデータのエラーチェックを行なうようにしていた。
【０００５】
【発明が解決しようとする課題】
しかしながら、上述した従来の技術では、たとえば、無線基地局の基地局装置とその終端装置との間の伝送路にてデータの符号誤りが生じた場合、そのデータは基地局側の終端装置にて一旦終端されて、異なる通信網を介して無線交換局側に伝送されるので、無線交換局側の終端装置には無線基地局側の伝送路にてデータの符号誤りが生じていることが伝達できず、データとしては符号誤りが有るが、ＣＲＣコードの符号誤り検査などではエラーが検出されずに無線交換局側の終端装置から無線交換機へとデータ伝送が行なわれてしまうという問題があった。したがって、異なる通信網を介してデータを伝送する場合、無線交換局側にて無線基地局側の伝送路を監視する際に、たとえば、新たな監視制御網などを敷設しなければならないなど保守面にて課題が生じていた。
【０００６】
本発明は、上記事情に鑑みてなされたものであり、監視制御網などを新たに敷設することなく、他の通信網を介して一方から他方の自通信網に一方の伝送路にて発生したデータの符号誤りを伝達することができる符号誤り伝達方式を提供することを目的とする。
【０００７】
【課題を解決するための手段】
上記課題を解決するために、本発明は、異なる通信網を介して一方の自通信網から他方の自通信網にデータ伝送する際に、一方の自通信網での符号誤り状態を表わす結果を異なる通信網でのフレームの空き領域に挿入して他方の自通信網に伝達することを特徴とする符号誤り伝達方式から構成される。
【０００８】
また、本発明は、一方の自通信網から異なる通信網を介して他方の自通信網にデータ伝送する際に、一方の自通信網の伝送路にて発生したデータの符号誤りを異なる通信網を介して他方の自通信網に伝達する符号誤り伝達方式であって、一方の自通信網にて、それぞれ伝送するデータを含むフレームに誤り検出符号を付加し、一方の自通信網の伝送路の異なる通信網との終端点にて、自通信網のフレームを異なる通信網のフレームに変換する際に、自通信網のフレームの誤り検出符号に基づいて自通信網の伝送路でのデータの符号誤りを検出し、その結果を表わす誤り検出ビットを異なる通信網でのフレームの所定の空きデータ領域に挿入して、そのフレームにて異なる通信網を介して他方の自通信網に伝送する。他方の自通信網では、異なる通信網との終端点にて、一方の自通信網の信号を異なる通信網からのフレームにて受けてそのフレームを自通信網のフレーム信号に変換する際に、このフレームの所定の空きデータ領域に挿入された符号誤りを表わす誤り検出ビットを検出し、その結果、データの符号誤りが発生している場合に、自通信網のフレーム信号に変換した後の誤り検出符号または対象のデータの符号を変更して、フレーム内のデータに所定の符号誤りを発生させる。これにより、終端点からの所定の符号誤りを発生させた信号に基づいて他方の自通信網にて一方の自通信網の伝送路でのデータの符号誤りを検出する符号誤り伝達方式から構成される。
【０００９】
有利には、他方の自通信網は、異なる通信網との通信装置を含み、その通信装置にて、自通信網のフレーム信号から所定の符号誤りを検出した際に、一方の自通信網の伝送路にてデータの符号誤りが発生したことを外部に報知すると有利である。
【００１０】
【発明の実施の形態】
次に、添付図面を参照して本発明による符号誤り伝達方式の一実施形態を詳細に説明する。図１には、本発明による符号誤り伝達方式が適用された通信網の一実施形態が示されている。本実施形態による通信網は、たとえば複数の無線基地局１０を他の通信事業者の通信網２０を介して無線交換局３０に収容する移動体通信網であり、特に、本実施形態では、無線基地局１０の伝送路１０６にて発生したデータの符号誤りをそのデータ伝送の際に他の通信事業者の通信網２０を介して無線交換局３０に有効に伝達する符号誤り伝達方式が適用されている点が主な特徴点である。なお、図１には、説明を簡単にするため１個の無線基地局１０のみ図示されているが、本実施形態においては複数の基地局１０を他の通信事業者の通信網２０を介して無線交換局３０に収容する場合も含む。
【００１１】
各部の詳細を説明すると、本実施形態の無線基地局１０は、所定のエリア毎にそれぞれ設置された、多数の小無線ゾーンでサービスエリアを覆う移動通信システムの基地局であり、図１に示すように、基地局装置１０２と終端装置１０４とを含み、これらが伝送路１０６にて接続されて、さらに終端装置１０４に、他の通信事業者の通信網２０からの専用線２０２が接続されている。
【００１２】
基地局装置１０２は、そのエリアの移動局との間にて所定の無線回線を介してデータの送受信をする無線送受信装置であり、複数の移動局からの通信チャネルのデータを多重化した所定の信号フレーム（以下「フレーム」という）を形成して伝送路１０６に送出する。本実施形態では、基地局装置１０２から伝送路１０６へのフレームは、たとえば、図２に示すように、１フレームが１２５μｓの伝送速度にてそれぞれ２４個のタイムスロットのデータを含み、さらに先頭にＦビットとして１ビット付加された１９３ビットにて形成されたフレームである。Ｆビットは、４フレーム目から４フレーム毎に順次"001011"となるフレーム同期信号FAS と、１フレーム目から２フレーム毎に付加される保守運用ビットｍと、２フレーム目から４フレーム毎に符号誤り検出用に付加されるＣＲＣ(cyclic
redundancy check) ビットｅ１〜ｅ６とを含み、２４個のフレーム毎にマルチフレームを形成する。これらは終端装置１０４にて終端される。
【００１３】
図１において、終端装置１０４は、伝送路１０６を介して供給される信号を終端して専用線２０２への信号形態に変換する終端装置であり、本実施形態では、終端回路１０８と、符号誤り検出回路１１０と、符号誤り伝達回路１１２とを含む。終端回路１０８は、自通信網のフレームからそれぞれのデータを取り出して他の通信事業者の通信網２０でのフレーム、たとえばＩＳＤＮ（サービス総合ディジタル網）などに応じた信号に変換する信号変換回路である。
【００１４】
符号誤り検出回路１１０は、マルチフレームのＣＲＣビットに基づいてデータの符号誤りをチェックする符号検査回路であり、本実施形態では、データのいずれかの符号誤りを検出した際に、誤りがあったことを表わす検出信号を符号誤り伝達回路１１２に供給する検出回路である。
【００１５】
符号誤り伝達回路１１２は、符号誤り検出回路１１０からの検出信号に基づいてその符号誤りを表わす誤り検出ビットを生成するデータ生成機能を含み、さらに本実施形態では、生成した誤り検出ビットを終端回路１０８にて変換した専用線２０２のフレームでの空きデータ領域に挿入するデータ挿入機能を含む。たとえば、本実施形態では、誤り検出ビットを上記マルチフレームでのＣＲＣビットと同様の演算にて求められる同様のビット数にて形成し、その誤り検出ビットを変換したフレームの所定のデータ領域、たとえばマルチフレームの所定の空きデータ領域を含むフレームの２４タイムスロット目に相当する特定の位置に挿入すると有利である。誤り検出ビットを挿入した専用線２０２からのデータは、他の通信事業者の通信網２０の信号形態にてその通信網２０から専用線２０４を介して無線交換局３０に伝送される。
【００１６】
一方、無線交換局３０は、他の通信事業者の通信網２０を介して伝送された無線基地局１０からのデータを所定の方路に伝送する交換局であり、図１に示すように、終端装置３０２と、無線交換機３０４とを含む。終端装置３０２は、専用線２０４からの他の事業者の信号を終端して自通信網の信号形態に変換する終端装置であり、本実施形態では終端回路３１０と、符号誤り抽出回路３１２と、符号誤り挿入回路３１４とを含む。
【００１７】
終端回路３１０は、専用線２０４を介して伝送された信号からデータを取り出して無線基地局１０側と同様のフレームに変換する信号変換回路であり、本実施形態では、取り出したデータをそれぞれタイムスロットに形成してフレーム毎に、フレーム同期信号ＦＡＳと、保守運用ビットｍと、ＣＲＣビットとを付加してマルチフレームを形成するフレーム形成回路である。本実施形態ではＣＲＣビットは、誤り検出ビットを取り除いた残りのデータについて演算した結果の巡回検査符号である。
【００１８】
符号誤り抽出回路３１２は、専用線２０４を介して伝送された信号から符号誤りを表わす誤り検出ビットを抽出するデータ抽出回路であり、本実施形態では、終端回路３１０にて取り出したデータの中から、たとえばマルチフレームの所定の空きデータ領域を含むフレームの２４タイムスロット目に相当する位置に挿入された誤り検出ビットを抽出する。誤り検出ビットを検出した場合は、その誤り結果を表わす信号を符号誤り挿入回路３１４に供給する。
【００１９】
符号誤り挿入回路３１４は、符号誤り抽出回路３１２にて誤りがあると検出した際に終端回路３１０からの信号にデータ誤りを挿入する回路であり、本実施形態では、終端回路３１０にて形成した対応のフレームのデータについてその一部の符号を反転させてデータ誤りを発生させる。データ誤りを含むフレームは無線交換機３０４に供給される。
【００２０】
無線交換機３０４は、終端装置３０２からのフレーム信号に多重化されたそれぞれのチャネルのデータを分離して、それぞれ所定の方路に伝送する交換装置であり、本実施形態では、終端装置３０２にて付加したＣＲＣビットに基づいてデータの符号誤りを検出して、その結果を報知する警報装置を含む。
【００２１】
次に、本実施形態による符号誤り伝達方式を上記通信網の動作とともに説明すると、まず、無線基地局１０のエリアに在圏する移動局からの通信チャネルのデータは、基地局装置１０２にて多重化されて図２に示すフレームに組み立てられる。この際、基地局装置１０２では、それぞれのフレームにＣＲＣビットを含むＦビットを付加してマルチフレームを形成して、それらの信号を伝送路１０６を介して終端装置１０４に伝送する。
【００２２】
次に、信号を受けた終端装置１０４では、終端回路１０８にて伝送路１０６からの信号を終端して、専用線２０２への信号形態に変換する。この際、符号誤り検出回路１１０にてマルチフレーム内のデータ誤りをＣＲＣビットに基づいて検出し、データの符号誤りを検出すると、その結果を符号誤り伝達回路１１２に供給する。符号誤り伝達回路１１２に、符号誤り検出回路１１０からデータの符号誤りを表わす検出信号が供給されると、符号誤り伝達回路１１２はその誤り検出ビットを生成して、終端回路１０８にて変換したフレームの空きデータ領域に誤り検出ビットを挿入する。
【００２３】
次いで、誤り検出ビットを含む終端装置１０４からの信号は、他の通信事業者の通信網２０側の信号形態にて専用線２０２を介して他の通信事業者の通信網２０を伝送されて、さらに専用線２０４を介して無線交換局３０に伝送される。次に、専用線２０４を介して伝送された信号は、無線交換局３０の終端装置３０２にて終端されて、他方の自通信網３０のフレームに変換される。この際、終端回路３１０では、誤り検出ビットを除くデータについて正常な値として巡回符号検査をして、マルチフレームのＦビットにその結果のＣＲＣビットを付加する。
【００２４】
一方、符号誤り抽出回路３１２では、他の通信事業者の通信網２０の信号形態から取り出されたデータの中から無線基地局１０側にて挿入した誤り検出ビットを検出すると、その誤り結果を表わす信号を符号誤り挿入回路３１４に供給する。これにより、符号誤り挿入回路３１４では、終端回路３１０にて自通信網の信号形態に変換した対応のフレームのデータについてその一部の符号を反転させて、そのデータに符号誤りを発生させる。この結果のフレームは無線交換機３０４に順次正常なフレームとともに供給される。
【００２５】
次いで、終端装置３０２を介して他方の自通信網３０の信号形態の信号を受けた無線交換機３０４では、マルチフレームのデータの符号誤りを終端回路３１０にて付加したＣＲＣビットに従ってチェックする。この結果、符号誤り挿入回路３１４にて符号誤りを発生させたデータが検出されるため、警報装置を起動してその結果を交換局の保守員に報知する。
【００２６】
以上のように本実施形態の符号誤り伝達方式によれば、無線基地局１０の伝送路１０６にて発生したデータの符号誤りを他の通信事業者の通信網２０を介して自通信網の無線交換局３０に有効に伝達することができる。したがって、無線交換局３０にてそれぞれの無線基地局１０の伝送路１０６の保守および監視を効率よく実行することができる。
【００２７】
なお、上記実施形態では、符号誤りが発生した際に、交換局側の符号誤り挿入回路３１４にてデータの符号を反転させるようにしたが、本発明においては、交換局側にてフレーム信号に付加したＣＲＣビットを反転させてデータに符号誤りを発生させるようにしてもよい。
【００２８】
また、上記実施形態では、移動体通信網を例に挙げて説明したが、本発明においては、他の通信事業者の通信網を介して情報を伝達する通信網であれば、いずれの通信網に適用してもよい。
【００２９】
【発明の効果】
以上説明したように本発明によれば、一方の自通信網の異なる通信網との終端点にてデータの符号誤りを検出して、その結果を表わす誤り検出ビットを異なる通信網でのフレームの所定の空きデータ領域に挿入して伝送し、他方の自通信網の異なる通信網との終端点にて誤り検出ビットを抽出して、その誤り検出ビットにて表わされるデータに符号誤りを発生させて他方の自通信網内部にて検出するようにしたので、一方の自通信網の伝送路にて発生したデータの符号誤りを他方の自通信網に有効に伝達することができる。したがって、一方の自通信網を他方の自通信網にて監視する監視制御網などを新たに敷設することなく、他方の自通信網にて一方の自通信網を有効に監視することができ、保守および設備などの面にて安価な通信網を実現することができるなどの優れた効果を奏する。
【図面の簡単な説明】
【図１】
本発明による符号誤り伝達方式が適用された通信網の一実施形態を示すブロック図である。
【図２】
図１の実施例による通信網に適用されたフレーム信号の構成例を示す信号構成図である。
【符号の説明】
１０  無線基地局
２０  他の通信事業者の固定通信網
３０  無線交換局
１０２  基地局装置
１０４，３０２  終端装置
１０６  伝送路
１０８，３１０  終端回路
１１０  符号誤り検出回路
１１２  符号誤り伝達回路
３０４  無線交換機
３１２  符号誤り抽出回路
３１４  符号誤り挿入回路